(57)【要約】      （修正有）【課題】携帯電話等電子機器の製品本体及びバッテリー等の付属品を安全、かつ、確実に収納できる包装部材の提供。しかも、段ボール紙を平坦状に折り畳んだ状態で納品し、製品包装ラインにおいて折畳み体から瞬時に直方体状の箱体へと折り上げることによって製品本体或いは付属品を収納できる包装部材の提供。【解決手段】ほぼ長方形の一枚の段ボール１００Ａを折り上げることによってほぼ直方体状の箱体が形成され、この箱体は上面４Ａ、底面２Ａ、左右の側壁１Ａ、３Ａ、一方の側壁１Ａに内側から折り重なる内側壁５Ａ等から構成され、上面４Ａの中央に形成された凹みとして、主体部４００Ａ及び付属部５００Ａが設けられ、上面４Ａに、ストッパー片１０Ａ、８２Ａ、内側壁５Ａに、ストッパー片を設け、ストッパー片１０Ａ、８２Ａは折り目Ｋ、Ｑから箱体の内側へ曲げられ、かつ、主体部４００Ａの前後の主体側片７１Ａ、７２Ａの夫々背面側に位置する。【選択図】図８
2010137877.tif 000002
【特許請求の範囲】
【請求項１】
ほぼ長方形の一枚の段ボールが複数の折り目、或いは切れ目を介して上面、底面、左右の側壁、内側壁等に仕切られ、
前記段ボールを折り上げることによってほぼ直方体状の箱体が形成され、
この直方体状の箱体は前記上面、前記底面、左右の前記側壁、一方の側壁に内側から折り重なる前記内側壁等から構成され、
前記上面の中央に主体部及びこれに隣接して付属部が設けられ、
かつ、前記主体部は、前記底面の一部が左右の前記側壁、前記内側壁及び前後の主体側片によって囲まれるように凹みが形成され、
一方、前記付属部は、前記上面の一部が折り目を介して前記底面側へ折り曲げられることによって凹みが形成された包装部材であって、
前記上面又は前記内側壁に夫々折り目を介して種々のストッパー片を設け、
これらのストッパー片は折り目から前記箱体の内側へ曲げられ、
かつ、これらのストッパー片は前記主体部の前後の前記主体側片の夫々背面側に位置することを特徴とする包装部材。
【請求項２】
前記種々のストッパー片は、前記主体部の前後の前記主体側片に対して夫々これらの背面に当接することを特徴とする請求項１記載の包装部材。
【請求項３】
前記種々のストッパー片の中、
内側壁から突出して設けられたストッパー片は、
折り目から折れて前記底面側へ傾斜し、
かつ、先端辺が前記底面に当接することを特徴とする請求項１記載の包装部材。
【発明の詳細な説明】
【技術分野】
【０００１】
本発明は、携帯電話及びその付属品を包装するための段ボール製の包装部材に関する。詳しくは、携帯電話等電子機器を包装するために一枚の段ボール紙から折り上げることによって複数の収納部を形成し、製品本体及び付属部品をコンパクトに収納できるようにした包装部材に関する。
【背景技術】
【０００２】
電子部品或いはガラス部品を内蔵するデジタルカメラ、デジタルビデオカメラ、携帯電話等の電子機器は、落下或いは、外部からの衝撃に対して破損し易い。このため、これらの製品本体を緩衝材で包み、その周りに付属品及び取り扱い説明書等を使って包装することが行われている。携帯電話は、電池と一緒に梱包されることが多く、そのため形状の異なる二つ以上のものを一つの箱に梱包する必要がある。例えば、従来の携帯電話を梱包する例では、携帯電話の本体と電池に形状をあわせた樹脂成型品の内箱を段ボール製の外箱に装着する方式となっている。また他の方法としては、スポンジなどの不定型なクッション材を段ボール製の外箱と本体及び電池との隙間に詰めることが行われている。その他、携帯電話を包装するための段ボール製包装部材６００Ａ‘の従来例を図１６に示す。包装部材６００Ａ‘は一枚の段ボールから折り上げられたほぼ直方体状の箱体であり、底面２Ａ’とこれに平行な上面４Ａ‘とこれらを側方から囲むように四方の側壁から構成される。左方の側壁３０Ａ’は閉じるための蓋の機能を有する三片からなる。上面４Ａ‘の中央に直方体状に凹んだ主体部４００Ａ’とこの手前に異形状に凹んだ付属部５００Ａ‘を備える。そして、主体部４００Ａ’を構成する主体側片７２Ａ’は糊代片７６Ａ‘によって底面２Ａ’に対して直立するように糊付け固着される。同様に他方の主体側片７１Ａ’は糊代片７５Ａ‘によって底面２Ａ’に対して直立するように糊付け固着される。この包装部材６００Ａ‘によると、側方から囲む四方の側壁から構成されているので段ボール紙の使用量が多い。しかも左方の側壁３０Ａ’は三片に分割された複雑な構造である。また、主体側片は底面２Ａ‘に糊付け固着されるので、組み立て工程が複雑になるとともに工数がかかりコスト高になる。
【０００３】
その他に、電子機器等のキットを梱包する集合キット梱包材があり、この集合キット梱包材は、キットを収納することができ、開放された収納部を有するキット収納体と、このキット収納体の収納部の内面に添うように挿入されるクッションシートと、上記キット収納体の開放側を閉塞する合成樹脂製の被覆シートとを備えたものである。具体的には、電子機器等のキットを梱包する包装部材として次の様な発明がなされている。集合キット包装部材はキット収納体と、複数の収納袋と、梱包ケースとから構成されている。キット収納体は発泡スチロール、パルプ等から成り、電子機器のキットである携帯電話機、普通充電器、急速充電器をそれぞれ収納することができ、開放された収納部が形成されている。収納袋はナイロンフィルムから成り、それぞれ携帯電話機、普通充電器、急速充電器を収納することができる。梱包ケースは段ボール等から成り、ケース本体に蓋が開閉可能に連設されている。以上の構成において、先ず、携帯電話機、普通充電器、急速充電器をそれぞれ複数の収納袋に収納する。次に、複数の収納袋に収納された携帯電話 機、普通充電器、急速充電器をそれぞれキット収納体の複数の収納部に収納する。従って、本提案の発明によれば、キットをキット収納体の収納部にクッションシートを介して収納し、その後、キット収納体の開放側を合成樹脂製の被覆シートにより閉塞することによりキットを梱包 することができるので、キットの数が増えてもその一つずつを収納袋に納める手間を省き、簡単な作業で梱包することができる（特許文献１）。
【０００４】
【特許文献１】特開平５−２１３３７０号公報
【発明の開示】
【発明が解決しようとする課題】
【０００５】
以上に説明したように携帯電話等電子機器及びその付属品、或いは電子機器等のキットを梱包するための従来の包装、梱包に関しては、以下に示すような課題を抱えている。
【０００６】
上記従来の電子機器等のキットを梱包する方法においては、内箱を樹脂成形するための金型が必要となる。このため、初期コストが高く、一度決定した内箱の形状を小型携帯 電子機器等の設計変更に合わせて修正することも困難であるという問題があった。また、このような樹脂製の内箱を廃棄する場合には、廃棄スペースを多く必要とし、焼却した場合には有毒物質放出対策が必要となり、この点でもコストが高くなるという問題があった。また、内箱を資源として再利用することも困難であった。さらに、携帯電子機器等を内箱に収納する方式においては、段ボール製の外箱から内箱を引き出す際に、上下逆さまに引き出し、内容物が溢れ飛び出るという問題もあった。
【０００７】
また、上記詰物方式においては、衝撃から保護するために携帯電話等をクッション材でその全体をくるむ必要がある等梱包に労力がかかり、さらにクッション材を廃棄する場合には前述の成型品内箱と同様な問題があった。
【０００８】
一方、電子機器のキットを梱包するに際し、簡単に梱包することができず、しかも、数多くの包装部材を必要とし、集合キット用として簡易型の包装部材がなく、電子機器のキットの梱包に際し、簡単に梱包することができ、しかも、少ない数の梱包材で梱包する簡易型の集合キット梱包材が望まれている。
【０００９】
上記のような従来例の構成では、キットを一つずつ複数の収納袋に収納するために工数が掛かる。また、キットの一つずつに収納袋を必要とするため、多数の梱包材を必要とし、非経済的である等の問題があった。
【００１０】
また上記の電子機器のキットを梱包する集合キット梱包部材の問題点の第一は、製品本体を収納する緩衝部材が、外箱と材質が異なるのでリサイクルの際分別が必要となる。段ボールとパルプと包装用部材の調達品が異なる材質からなり、調達先が分かれ管理が面倒になる。パルプモールドは凹みを有する立体品なので、保管用のスペースを必要とする。
【００１１】
他に、製品本体に対する落下或いは外部からの衝撃に対する緩衝性に乏しく製品本体が輸送の途中で破損する恐れがある。
【００１２】
また、一枚の段ボール紙から折り上げられた包装部材の例では、一枚の段ボール紙が数多くの複雑な形状の部位に分割されており、折り上げて包装部材を完成させるまでに工数がかかる。そして、包装部材を広げた展開図の大きさが広くなりすぎて段ボール紙の使用量が増えて不経済である。更に、包装部材の構造上、一部に糊付け部が必要であるので工程が複雑になるとともに折り上げる工数が掛ってコスト高となる。
【００１３】
本発明は、上記従来の課題を解決するためになされたものであり、その目的は、一枚の段ボール紙を折り上げることによって、携帯電話等電子機器の製品本体及びバッテリー等の付属品を収納するための凹みを夫々形成し、これらの凹みに製品本体及び付属品を安全、かつ、確実に収納することができるようにした包装部材を提供することにある。しかも、場合によっては段ボール紙を平坦状に折り畳んだ状態で納品し、製品を包装するラインにおいて折畳み体から瞬時に直方体状の箱体へと折り上げることによって製品本体或いは付属品を収納できるようにした包装部材を提供することを目的とする。
【課題を解決するための手段】
【００１４】
上記目的を達成するために、請求項１の発明は、ほぼ長方形の一枚の段ボールが複数の折り目、或いは切れ目を介して上面、底面、左右の側壁、内側壁等に仕切られ、前記段ボールを折り上げることによってほぼ直方体状の箱体が形成され、この直方体状の箱体は前記上面、前記底面、左右の前記側壁、一方の側壁に内側から折り重なる前記内側壁等から構成され、前記上面の中央に主体部及びこれに隣接して付属部が設けられ、かつ、前記主体部は、前記底面の一部が左右の前記側壁、前記内側壁及び前後の主体側片によって囲まれるように凹みが形成され、一方、前記付属部は、前記上面の一部が折り目を介して前記底面側へ折り曲げられることによって凹みが形成された包装部材であって、前記上面又は前記内側壁に夫々折り目を介して種々のストッパー片を設け、これらのストッパー片は折り目から前記箱体の内側へ曲げられ、かつ、これらのストッパー片は前記主体部の前後の前記主体側片の夫々背面側に位置することを特徴とする。請求項２の発明は請求項１の発明の上記特徴に加えて、前記種々のストッパー片は、前記主体部の前後の前記主体側片に対して夫々これらの背面に当接することを特徴とする。請求項３の発明は請求項１の発明の上記特徴に加えて、前記種々のストッパー片の中、内側壁から突出して設けられたストッパー片は、折り目から折れて前記底面側へ傾斜し、かつ、先端辺が前記底面に当接することを特徴とする。
【００１５】
ここで、本明細書でいう「主体部」とは、携帯電話の製品本体を装入するための収納部をいう。また、「付属部」とは、携帯電話の各種付属部品の中特にバッテリーを装入するための収納部をいう。
【発明の効果】
【００１６】
本発明にかかわる段ボール製の包装部材によれば、デジタルカメラ、或いは、デジタルビデオカメラ等電子機器本体及び付属品を包装するにあたり、一枚の段ボール紙から折り上げ、かつ、製品を落下或いは外部からの衝撃による損傷から確実に守る実用性に優れた包装部材である。詳しくは、本包装部材の構造は、直方体状の箱体からなる包装部材であって、この箱体の上面に携帯電話本体及びその付属品を夫々別個に収納するための凹みを形成した包装部材である。本発明の包装部材によると、段ボールメーカーから顧客へ納品する際、場合によっては扁平に折り畳むことができるのでスペースが嵩張らないので大量に輸送でき、かつ、顧客側では扁平状なので包装部材の在庫管理のスペースが少なくて済む。そして、顧客では、この扁平の状態から携帯電話の製品を梱包する際に直方体状の箱体に瞬時に組み立てることができるので使い勝手が良い。そして、箱体の上面に、製品本体及び付属品用の凹みを夫々別個に形成し、収納できるので製品本体及び付属品が相互に緩衝することもなく、傷が発生することもなく確実に収納することができる。製品を収納する主体部の凹みは、この側壁を背面から複数のストッパー片によって支持することができるので凹みの立体的な空間を保持することができる。また、顧客側では段ボール製の包装部材を購入するだけで済み、購買管理が楽になる等の優れた効果を奏するものである。
【発明を実施するための最良の形態】
【００１７】
本発明の実施の形態を、添付図面に示した本発明の実施例に基づいて以下に具体的に説明する。
【実施例１】
【００１８】
本実施例について、図１〜図９を参照しながら説明する。本実施例は段ボールをほぼ平坦状に折り畳んだ状態で納品し、これを製品及び付属品を梱包するラインにおいて瞬時に直方体状の箱体に組み立てて製品或いは付属部品を夫々別個に収納できるようにした包装部材である。図１は、包装部材の展開図で、段ボール１００Ａである。図２は、段ボール１００Ａを折上げる途中の状態を示す斜視図である。図３は、折上げが進んだ状態を示す斜視図である。図４は、更に折上げが進んだ状態を示す斜視図である。図５は、ほぼ直方体状に折上げが進んだ包装部材の斜視図である。図６は、更に折上げが進んだ状態を示す包装部材の斜視図である。図７は、扁平状に折り曲げた折畳み体２００Ａを示す斜視図である。図８は、折上げ完了した直方体状の箱体からなる包装部材６００Ａの斜視図である。図９は、包装部材６００Ａを側方向から見た状態を示す包装部材６００Ａの斜視図である。
【００１９】
図１に示す展開図のプロフィール内における点線は折り目を、実線は切れ目を示し、後述する他の実施例についても同様である。ほぼ矩形状をした段ボール１００Ａは、図１に示すように、上下方向の折り目Ｄ、Ｅ、Ｆ、Ｇを左側から順に備え、折り目ＦとＧの間に左右方向の折り目Ｌ、Ｍを断続して備える。以上の折り目によって段ボール１００Ａは各部位に仕切られる。先ず、左方から側壁１Ａ、底面２Ａ、側壁３Ａ、上面４Ａ及び側壁１Ａに内側から重なる内側壁５Ａが並ぶ。左端の側壁１Ａの上下ほぼ中央から左方に突き出るように、二重折り目Ｈを介して係止片６Ａを設け、この係止片６Ａは中央の主片６１Ａ及び先端隅部に三角片６２Ａを備える。他方先端隅部の三角片６２Ａについても同様である。上面４Ａの上下ほぼ中央において、左右方向の折り目Ｌを介して下方へほぼ矩形状の主体側片７１Ａを備え、これに空間を隔てて対向するように折り目Ｍを介して上方へほぼ矩形状の主体側片７２Ａを備える。主体側片７１Ａに接して上方に付属片８Ａを設け、上方に向けて撥形に広がる中央の付属主片８１Ａとこの左右両側にストッパー片８２Ａを備える。中央の付属主片８１Ａの上辺は折り目Ｎ、左右のストッパー片８２Ａ、８２Ａの夫々左右辺は折り目Ｋ、Ｋから構成される。一方、主体側片７２Ａの折り目Ｍに沿って下方へストッパー片１０Ａを設ける。このストッパー片１０Ａの上辺は折り目Ｍの線上にあり、左辺は折り目Ｑから構成され、ストッパー片１０Ａは折り目Ｑの部位から蝶番のように折れる。最後に、右端の内側壁５Ａの上下に右方へ突き出るように、凹んだ位置の折り目Ｊを介して矩形状のストッパー片９１Ａを設ける。他方のストッパー片９１Ａについても同様である。
【００２０】
以上の段ボール１００Ａを折り上げる手順を以下に説明する。ほぼ矩形状の段ボール１００Ａを上下方向の折れ目を介して右方から左方へ向けて被さるように折り曲げる。図２に示すように、上面４Ａを折り目Ｅ、Ｆの部位から立ち上げて左方の底面２Ａ側へ折り曲げる。続いて図３に示すように、側壁３Ａが折り目Ｅ、Ｆの部位から直立するにつれて上面４Ａが底面２Ａに覆い被さるように折れ曲がる。この時、内側壁５Ａに備えるストッパー片９１Ａが折り目Ｊの部位から内側へ折れ曲がって先端辺９１１Ａが底面２Ａに当接する。他方のストッパー片９１Ａについても同様である。次いで各部位の折り曲げが進み、図４へ移行するにつれて、内側壁５Ａは上面４Ａから底面２Ａ側へ直角に折れ曲がる。ここで、ストッパー片９１Ａの側辺９１２Ａの長さが切込み５１Ａより長いのでストッパー片９１Ａは底面２Ａに当接した状態で、底面２Ａに対して傾斜した角度を保つ（図３を参照）。他方のストッパー片９１Ａについても同様である。同時に図４に示すように、上面４Ａの中央の主体側片７１Ａが上面４Ａから底面２Ａ側へ直角に折れ曲がり、同様に対向する主体側片７２Ａも折れ曲がる。このようにして、上面４Ａの中央に凹んだ主体部４００Ａが形成される。この主体部４００Ａは対向する主体側片７１Ａ、７２Ａと側壁３Ａ、側壁１Ａとこれに内側から重なる内側壁５Ａによって四方が囲まれ、底面２Ａの一部を底面とする凹んだ直方体状の空間として形成される。次に、この状態で係止片６Ａを内側へ折り曲げる状態を図５及び図６に示す。図５に示すように、係止片６Ａは二重折り目Ｈの部位から底面２Ａ側へ直角に折り曲げられ、内側壁５Ａを覆うように凹んだ主体部４００Ａの内側へ折り曲げられる。この時、係止片６Ａの隅部の三角片６２Ａは主体側片７２Ａに当接しながら折り目Ｐの部位から折れ曲がり、主体側片７１Ａ側についても同様である。ここで、三角片６２Ａは折り目Ｐを備えるので係止片６Ａを二重折り目Ｈの部位から折り曲げ易い。次に、係止片６Ａの隅部の三角片６２Ａを主体側片７２Ａの内側へ押し込み、この状態を図６に示し、表側からは三角片６２Ａの先端は見えず、折り目Ｐの一部が見える。他方の三角片６２Ａについても同様である。次に、図６のほぼ直方体状の箱体から扁平に折り畳んだ状態を図７に示す。図６における凹んだ主体部４００Ａの内隅部の三角片６２Ａを主体側片７２Ａの内側へ押し込んだ状態からスタートし、右方では上面４Ａが折り目Ｇの部位から折れて内側壁５Ａ及び側壁１Ａの上に被さる。同時に対角側の左方では側壁３Ａが折り目Ｅの部位から折り曲がって底面２Ａの上に被せる。この結果、図７に示すように上面４Ａと底面２Ａが重なって扁平に折り畳まれ、この折畳み体２００Ａの状態で段ボールメーカーから顧客へ納品され、この扁平状態で保管される。一方、顧客側では携帯電話を包装する際にこの図７の状態から立体的にほぼ直方体状の箱体へと組み立て、この状態を包装部材６００Ａとして図８に示す。同図（ａ）では、右側の折り目Ｄの部位から側壁１Ａとこれに内側から重なる内側壁５Ａが底面２Ａから直立し、左側の折り目Ｅの部位から側壁３Ａが底面２Ａから直立し、かつ、上面４Ａが底面２Ａに平行に被さる。上面４Ａの中央には主体部４００Ａが凹んだ直方体状の立体空間が形成され、手前側に付属部３００Ａがすり鉢状に凹んだ立体空間が形成される。即ち、底面２Ａの中央の一部が対向する主体側片７１Ａ、７２Ａと側壁３Ａ及び側壁１Ａとこれに内側から重なる内側壁５Ａによって囲まれ、凹んだ直方体状の空間としてこの主体部４００Ａが形成される。また、各折り目の部位から折れて底面２Ａに向かって下降傾斜した付属主片８１Ａとストッパー片８２Ａ、８２Ａによってすり鉢状に凹んだ空間として付属部５００Ａが形成される。なお、同図（ｂ）は、上面４Ａのストッパー片１０Ａを手前側から見た斜視図である。なお、図８の直方体状の箱体に折り上がった包装部材６００Ａの状態において、図の上下方向を前後と称し、これと直角方向を左右と称し、他の実施例についても同様である。
【００２１】
包装部材６００Ａは以上のようにして組み立てられ、以下に主要な部材の作用或いはその機能について説明する。
【００２２】
包装部材は図７に示すように扁平な状態で顧客に納品するので、顧客側では在庫管理の際高さスペースが少なくて済む。扁平に折り畳むポイントは、段ボール１００Ａを折り上げる手順の項で説明したように図５に示す。右側の内側壁５Ａを覆うように係止片６Ａを内側へ折り曲げる際に、係止片６Ａの先端隅部の三角片６２Ａは主体部４００Ａの主体側片７２Ａに当接しながら折れ目Ｐの部位から折れ曲がり、他方の主体側片７１Ａ側についても同様である。この時、三角片６２Ａの根元に折り目Ｐを備えるために、係止片６Ａは主体側片７２Ａに当接しながら曲がり易すく、係止片６Ａは内側壁５Ａに被さるように二重折り目Ｈの部位から折れる。次に、係止片６Ａの隅部の三角片６２Ａを主体側片７２Ａの内側へ押し込み、この状態を図６に示す。次いで、係止片６Ａ先端の三角片６２Ａを主体側片７２Ａの内側へ押し込んだまま、右側の折り目Ｇの部位から内側壁５Ａを折り曲げ、同時に側壁１Ａを折り目Ｄの部位を平らに拡げ、側壁１Ａの上に内側壁５Ａが重なりその上から上面４Ａが被さる。このようにして、図７に示すように上面４Ａと底面２Ａが重なって扁平になる。段ボールメーカーから顧客へ納品する際、扁平状なので積層厚さが嵩張らないので大量に輸送でき、かつ、扁平状なので顧客側でも包装部材の在庫管理の高さスペースが少なくてすむ。顧客では、携帯電話を梱包する際に扁平の状態から図８に示す直方体状の箱体に組み立てる。その時、折り畳んだ扁平な折畳み体２００Ａから直方体状の包装部材６００Ａへ瞬時に組み立てることができる。
【００２３】
包装部材は、図８（ａ）に示すように上面の中央に主体部４００Ａが凹んだ立体空間が形成され、手前側に付属部５００Ａが凹んだ立体空間が形成される。ここで、主体部４００Ａは、底面２Ａの一部が直立した左右の側壁３Ａ、６Ａ及び前後方向の主体側片７１Ａ、７２Ａによって四方から囲まれ、直方体状に凹む。一方、付属部５００Ａは、図８（ａ）における中央舌状の付属主片８１Ａが折り目Ｎの部位から折れて主体側片７１Ａに向かって底面２Ａ側へ傾斜し、一方、この左右の袖状のストッパー片８２Ａ、８２Ａが左右の折り目Ｋ、Ｋの部位から折れて夫々底面２Ａ側へ傾斜する。このようにして、夫々底面２Ａに向かって下降傾斜した付属主片８１Ａと両側のストッパー片８２Ａ、８２Ａによってすり鉢状に凹んだ空間が形成される。直方体状の凹んだ主体部４００Ａにはこれより一回り小さい直方体状の携帯電話の本体が収納される。一方、すり鉢状に凹んだ付属部５００Ａには扁平な矩形状のバッテリーが収納される。このように、主体部４００Ａ及び付属部５００Ａに、製品本体及び付属品を夫々別個に収納できるので相互に品物同士が緩衝するようなことがなく、従って傷が発生することもなく確実に収納することができる。
【００２４】
凹んだ主体部４００Ａの両側片は、内側から種々形状のストッパーによって支持されるので、凹んだ主体部４００Ａの側壁を直立状態に保持することができる。ストッパーは、ストッパー片１０Ａ、９１Ａ及びストッパー片８２Ａから構成され、この中でストッパー片８２Ａは前述したようにバッテリーを収納するためのすり鉢状の凹みを形成する機能と、主体部４００Ａの主体側片７２Ａ、７３Ａを背面から支持するためのストッパーとしての機能を併せ持つ。先ず、図８（ｂ）に示すように、手前のストッパー片１０Ａは上面４Ａの折り目Ｑの部位から蝶番のように折れて底面２Ａに向かって下降傾斜し、この側辺１０１Ａが主体部４００Ａの主体側片７２Ａの背面に当接した状態になる。このことによって、主体側片７２Ａが直立した状態から倒れるのを防止でき、凹んだ主体部４００Ａの側壁が保持される。一方、図８（ａ）に示すように、ストッパー片８２Ａ、８２Ａは上面４Ａにおける折り目Ｋの部位から折れて底面２Ａに向かって傾斜し、この側辺８２１Ａが主体部４００Ａの主体側片７１Ａの背面に当接した状態になる。このことによって、主体側片７１Ａが直立した状態から倒れるのを防止でき、凹んだ主体部４００Ａの側壁が保持される。ストッパー片９１Ａの構成については側方から見た状態を図９に示し、同図（ａ）では図８の矢視Ｘの方向から見た包装部材６００Ａの状態を示し、同図（ｂ）では図８の矢視Ｙの方向から見た包装部材６００Ａの状態を示す。同図（ａ）に示すように、ストッパー片９１Ａは内側壁５Ａの折り目Ｊの部位から底面２Ａに向かって下降傾斜して先端辺９１１Ａが底面２Ａに当接し、同時に側辺９１２Ａが主体側片７１Ａの背面に当接する。このようにしてストッパー片９１Ａは凹んだ主体部４００Ａの主体側片７２Ａが図の手前側に倒れるのを防止し、かつ、凹んだ主体部４００Ａの側壁を保持する機能を有する。同じく図（ｂ）に示すように、他方のストッパー片９１Ａについても同様であり、内側壁５Ａの折り目Ｊの部位から折れて底面２Ａに向かって傾斜し、先端辺９１１Ａが底面２Ａに当接しながら同時に側辺９１２Ａが主体側片７２Ａの背面に当接する。ここで、ストッパー片１０Ａ或いはストッパー片９１Ａは、主体側片７１Ａ或いは主体側片７２Ａの背面に必ずしも当接する必要がない。即ち、本実施例では携帯電話を主体部４００Ａに収納する場合は、折れ曲がったストッパー片１０Ａ或いはストッパー片９１Ａと主体側片７１Ａ或いは主体側片７２Ａとの間に０．５〜５ｍｍ程度の隙間が生じてもよい。詳しくは、側辺１０１Ａ或いは側辺９１２Ａと主体側片７１Ａ或いは主体側片７２Ａの背面との間に隙間が生じてもよい。このように隙間が生じることによって、主体側片７１Ａ或いは主体側片７２Ａがストッパー片１０Ａ或いはストッパー片９１Ａに当たるまで後退するようなことがあっても主体部４００Ａは凹んだ形態を保つ。これらのことは、他の実施例についても同様である。
【００２５】
顧客側では包装部材６００Ａの主体部４００Ａに携帯電話を収納し、付属部５００Ａにバッテリーを収納すると梱包の準備が完了する。外箱の底に説明書を詰め込み、次にその上に携帯電話及びバッテリーを収納した包装部材６００Ａを載置し、次いで外箱の蓋を封印すると携帯電話の包装が完了する。
【実施例２】
【００２６】
次に、本実施例について、図１０〜図１３を参照しながら説明する。本実施例は実施例１と同様に、段ボール紙をほぼ平坦状に折り畳んだ状態で納品し、製品を梱包するラインにおいて瞬時に立体的に組み立てて製品或いは付属部品を包装できるようにした包装部材である。図１０は、本実施例に係る包装部材の展開図で、段ボール１００Ｂである。図１１は、扁平状に折り曲げた折畳み体２００Ｂを示す斜視図である。図１２は、折上げ完了した直方体状の箱体からなる包装部材６００Ｂの斜視図である。
【００２７】
本実施例の実施例１との主たる相違点は、折り上げた包装部材における付属部の凹み形状が異なるところにある。以下、主に実施例１と相違する事項について説明する。
【００２８】
ほぼ矩形状をした段ボール１００Ｂは、図１０に示すように、上下方向の折り目Ｄ、Ｅ、Ｆ、Ｇを左側から順に備え、折り目ＦとＧの間に左右方向の折り目Ｌ、Ｍを断続して備える。以上の折り目によって段ボール１００Ｂは各部位に仕切られる。先ず、左方から側壁１Ｂ、底面２Ｂ、側壁３Ｂ、上面４Ｂ及び内側壁５Ｂが並ぶ。上面４Ｂの上下ほぼ中央において、左右方向の折り目Ｌを介して下方へ中央部が欠けた主体側片７１Ｂを備え、一方、これに空間を隔てて対向するように折り目Ｍを介して上方へほぼ矩形状の主体側片７２Ｂを備える。そして、主体側片７１Ｂに挟まれるように中央に異形状の付属片８Ｂを設ける。この付属片８Ｂは、左右対称で中央の付属主片８１Ｂの上方に折り目Ｓを介して側片８７Ｂを備え、一方、付属主片８１Ｂの下方に折り目Ｔ、Ｕを介してフラップ８５Ｂ、８６Ｂを備え、付属主片８１Ｂの左右に側片８４Ｂ、８４Ｂを備える。
【００２９】
段ボール１００Ｂを実施例１と同様の手順によって折り畳んだ結果、図１１に示すように上面４Ｂと底面２Ｂが上下から重なって扁平な折畳み体２００Ｂが得られる。この状態で、段ボールメーカーから顧客へ納品され、保管される。一方、顧客では携帯電話を包装する際にこの図１１の状態からほぼ直方体状の箱体へ折り上げ、この状態を包装部材６００Ｂとして図１２に示す。
【００３０】
以下に実施例１と相違する部材の作用或いはその機能について説明する。包装部材は、図１２に示すように上面の中央に主体部４００Ｂが凹んだ直方体状の立体空間として形成され、手前側に付属部５００Ｂが凹んだ異形状の立体空間として形成される。ここで、主体部４００Ｂは、底面２Ｂの一部が直立した左右の側壁３Ｂ、６Ｂ及び前後方向の主体側片７１Ｂ、７２Ｂによって四方から囲まれるように凹む。主体部４００Ｂに収納された携帯電話を取り出す際、主体側片７２Ｂの上辺に形成される孔１１Ｂの空間に指先が逃げるので、中の携帯電話を取り出し易い。一方、図１２の中央の付属主片８１Ｂが凹んだ付属部５００Ｂの底を形成する。そして、上面４Ｂの折り目Ｒの部位から底面２Ｂ側へ直角に折れ曲がる側片８７Ｂ及び側片８４Ｂ、８４Ｂによって凹んだ付属部５００Ｂの側壁が形成される。この凹んだ付属部５００Ｂには扁平な矩形状のバッテリーが収納され、付属主片８１Ｂから直立したフラップ８５Ｂ、８６Ｂを備えることによって、取り出す際にバッテリーが溢れて飛び出すことが防止される。
【００３１】
主体部４００Ｂの主体側片７１Ｂ、７３Ｂは、実施例１と同様に背面からストッパー片によって支持されて直立した状態を保持することができる。即ち、実施例１の図８の場合と同様に、ストッパー片９１Ｂは内側壁５Ｂの折り目Ｊの部位から折れて底面２Ｂに向かって下降傾斜して先端辺９１１Ｂが底面２Ｂに当接し、同時に側辺９１２Ｂが主体側片７１Ｂの背面に当接する。他方のストッパー片９１Ｂについても同様であり、内側壁５Ｂの折り目Ｊの部位から底面２Ｂに向かって傾斜して先端辺９１１Ｂが底面２Ｂに当接し、同時に側辺９１２Ｂが主体側片７２Ｂの背面に当接する。
【実施例３】
【００３２】
次に、本実施例について、図１３〜図１５を参照しながら説明する。図１３は、包装部材の展開図で、段ボール１００Ｃである。図１４は、折上げ完了した状態を示す包装部材６００Ｃの斜視図である。図１５は、折上げ完了した直方体状の箱体からなる包装部材６００Ｃの斜視図である。
【００３３】
本実施例の実施例２との主たる相違点は、ほぼ直方体状の箱体からなる包装部材を扁平に折り畳むことができないところにある。以下、主に実施例２との相違する事項について説明する。
【００３４】
ほぼ矩形状をした段ボール１００Ｃは、図１３に示すように、上下方向の折り目Ｄ、Ｅ、Ｆ、Ｇを左側から順に備え、折り目Ｅ及びＦは上下に断続して続く。これらの折り目によって仕切られて、左方から側壁１Ｃ、底面２Ｃ、側壁３Ｃ、上面４Ｃ及び内側壁５Ｃが並ぶ。上面４Ｃの上下ほぼ中央において、左右方向の折り目Ｌを介して下方へ中央部が欠けた主体側片７１Ｃを備え、一方、これに空間を隔てて対向するように折り目Ｍを介して上方へほぼ矩形状の主体側片７２Ｃを備える。上記側壁３Ｃの上下ほぼ中央が欠け、側壁３Ｃは上下に側壁３１Ｃ、３２Ｃに分割される。下側の側壁３２Ｃの上端は折り目Ｖを介して三角形状の内側壁３３Ｃが連接し、更に直角方向に折り目Ｆを介して主体側片７２Ｃが連接する。
【００３５】
段ボール１００Ｂを実施例１と同様の手順によってほぼ直方体状の箱体に折り上げ、この状態を包装部材６００Ｃとして図１４に示す。
【００３６】
以下に実施例２と相違する部材の作用或いはその機能について説明する。包装部材は、図１４に示すように上面の中央に主体部４００Ｃが直方体状に凹んだ立体空間として形成され、手前側に付属部５００Ｃが異形状に凹んだ立体空間として形成される。また、図１５に包装部材６００Ｃを示すように、側壁３Ｃは前後方向において側壁３１Ｃ、３２Ｃに分割され、中央にＶ字状に凹んだ空間を有する。そして、Ｖ字状に凹んだ側壁３２Ｃの内側は内側壁３３Ｃが重なり、折り目Ｖを介して直角に折り曲がって主体側片７２Ｃに連接する。即ち、この折り目Ｖの両側は内側壁３３Ｃと主体側片７２Ｃとが直交し、夫々が底面２Ｃに対して直立している。従って、内側壁３３Ｃは主体側片７２Ｃを直立させるためのリブの機能を有するので、主体側片７２Ｃが倒れることなく凹んだ主体部４００Ｃの側壁の形態を保持することができる。一方、内側壁３３Ｃは主体側片７２Ｃと直交するので、直方体状の箱体の包装部材６００Ｃを実施例１、２の折畳み体２００Ａ、２００Ｂのように折り畳むことができない。また、実施例２と同様に、ストッパー片９１Ｃは内側壁５Ｃの折り目Ｊの部位から折れて底面２Ｃに向かって下降傾斜して先端辺９１１Ｃが底面２Ｃに当接し、同時にストッパー片９１Ｃが主体側片７２Ｃの背面に当接して二重に主体側片７２Ｃを直立状態に保持する。他方のストッパー片９１Ｃについても同様であり、ストッパー片９１Ｃは主体側片７２Ｃの背面に当接する。従って、主体側片７１Ｃが倒れることなく凹んだ主体部４００Ｃの側壁の形態を保持することができる。
【産業上の利用可能性】
【００３７】
各実施例では、携帯電話を製品箱に収納する包装部材について説明した。しかし、必ずしも、携帯電話に限定するものではない。外部からの衝撃に対して弱いガラス部品を内蔵する光学カメラや精密部品を内蔵する電気部品、或いは電子機器等のキットを梱包するために、本発明の包装部材を使用することも充分可能である。
【図面の簡単な説明】
【００３８】
【図１】本発明の実施例１に係る包装部材の展開図で、段ボール１００Ａである。
【図２】同上、段ボール１００Ａを折上げる途中の状態を示す斜視図である。
【図３】同上、折上げが進んだ状態を示す斜視図である。
【図４】同上、更に折上げが進んだ状態を示す斜視図である。
【図５】同上、ほぼ直方体状に折上げが進んだ包装部材の斜視図である。
【図６】同上、更に折上げが進んだ状態を示す包装部材の斜視図である。
【図７】同上、扁平状に折り曲げた折畳み体２００Ａを示す斜視図である。
【図８】同上、折上げ完了した直方体状の箱体からなる包装部材６００Ａの斜視図である。
【図９】同上、包装部材６００Ａを側方向から見た状態を示す包装部材６００Ａの斜視図である。
【図１０】本発明の実施例２に係る包装部材の展開図で、段ボール１００Ｂである。
【図１１】同上、扁平状に折り曲げた折畳み体２００Ｂを示す斜視図である。
【図１２】同上、折上げ完了した直方体状の箱体からなる包装部材６００Ｂの斜視図である。
【図１３】本発明の実施例３に係る包装部材の展開図で、段ボール１００Ｃである。
【図１４】同上、折上げ完了した状態を示す包装部材６００Ｃの斜視図である。
【図１５】同上、折上げ完了した直方体状の箱体からなる包装部材６００Ｃの斜視図である。
【図１６】従来例に係る包装部材の斜視図である。
【符号の説明】
【００３９】
１００Ａ、Ａ‘〜１００Ｃ（１００）  段ボール
２００Ａ〜２００Ｂ（２００）  折畳み体
４００Ａ、Ａ‘〜４００Ｃ（４００）、４０１  主体部
５００Ａ、Ａ‘〜５００Ｃ（５００）、５０１  付属部
６００Ａ、Ａ‘〜６００Ｃ（６００）  包装部材
１Ａ、１Ｂ、１Ｃ、３Ａ、３Ｂ、３Ｃ、３１Ｃ、３２Ｃ、３０Ａ‘  側壁
３３Ｃ  内側壁
２Ａ、２Ｂ、２Ｃ、２Ａ‘  底面
４Ａ、４Ｂ、４Ｃ、４Ａ‘  上面
５Ａ、５Ｂ、５Ｃ  内側壁、５１Ａ、５１Ｂ、５１Ｃ  切込み
６Ａ、６Ｂ、６Ｃ  係止片、６１Ａ、６１Ｂ、６Ｃ  主片、６２Ａ、６２Ｂ、６２Ｃ  三角片
７１Ａ、７１Ｂ、７１Ｃ、Ａ‘、７２Ａ、７２Ｂ、７２Ｃ、７２Ａ’  主体側片
７５Ａ‘、７６Ａ’  糊代片
８Ａ、８Ｂ、８Ｃ  付属片
８１Ａ、８１Ｂ、８１Ｃ  付属主片、
８２Ａ  ストッパー片、８２１Ａ  側辺
８４Ｂ、８４Ｃ、８７Ｂ、８７Ｃ  側片
８５Ｂ、８５Ｃ、８６Ｂ、８６Ｃ  フラップ  
９１Ａ、９１Ｂ、９１Ｃ  ストッパー片
９１１Ａ、９１１Ｂ、９１１Ｃ  先端辺
９１２Ａ、９１２Ｂ、９１２Ｃ  側辺
側辺１０Ａ  ストッパー片、１０１Ａ  側辺
１１Ｂ、１１Ｃ、１１Ａ‘  孔
Ｄ、Ｅ、Ｆ、Ｇ、Ｊ、Ｋ、Ｌ、Ｍ、Ｎ、Ｐ、Ｑ、Ｒ、Ｓ、Ｔ、Ｕ、Ｖ  折り目
Ｈ  二重折り目
Ｘ、Ｙ  矢視
【図１】
2010137877.tif 000003
【図２】
2010137877.tif 000004
【図３】
2010137877.tif 000005
【図４】
2010137877.tif 000006
【図５】
2010137877.tif 000007
【図６】
2010137877.tif 000008
【図７】
2010137877.tif 000009
【図８】
2010137877.tif 000010
【図９】
2010137877.tif 000011
【図１０】
2010137877.tif 000012
【図１１】
2010137877.tif 000013
【図１２】
2010137877.tif 000014
【図１３】
2010137877.tif 000015
【図１４】
2010137877.tif 000016
【図１５】
2010137877.tif 000017
【図１６】
2010137877.tif 000018